(57)【特許請求の範囲】
【請求項１】
換気扇本体の運転を制御する制御部と、電極の異極間に接続されるコンデンサー入力部と、このコンデンサー入力部に直列に接続され流入電流を制限する電流制限回路と、この電流制限回路を前記制御部からの信号の入力によりバイパスするバイパス回路と、このバイパス回路が正しい動作をしたか否かを検知する動作検知回路とを設けた電源回路とを備え、前記換気扇本体への供給電圧が低下した状態では運転できない構成とした換気扇であって、前記動作検知回路を、前記電源の周波数に同期してコンデンサー入力部への流入電流のピーク値を検知し、前記制御部からの信号の入力により前記バイパス回路がバイパスして正しい動作をしたとき、前記流入電流のピーク値の急激な変化を検知する構成とした換気扇。
【請求項２】
動作検知回路で検知した結果を使用者に表示して知らしめる構成とした請求項１記載の換気扇。
【発明の詳細な説明】
【０００１】
【発明の属する技術分野】
本発明は、事務所、居間等に配設される換気扇本体が正しくない状態で使用されないようにした換気扇に関する。
【０００２】
【従来の技術】
近年、住宅の気密化が進み、天井裏に取り付けて住宅の各部屋を集中的に換気する換気扇が普及されるにともない、必要換気風量の確保が重要となり、換気風量が不足した状態では使用できないようにする要求が高まってきている。
【０００３】
従来、この種の換気扇の一例として図６〜図８に示されるものが知られていた。以下、その構成について図６〜図８を参照しながら説明する。
【０００４】
図に示すように、住宅の天井裏１０１に換気扇本体１０２を配設し、複数設けられた各室内の天井面１０３に設けた排気口１０４とをダクト１０５を介して換気扇本体１０２に接続し、室内の壁面１０６にスイッチ１０７を設け、スイッチ１０７を操作し、換気扇本体１０２を運転し室内の汚染空気を室外へ排出していた。
【０００５】
また、各室内の換気を集中的、効果的に行うために、換気扇本体１０２にはＤＣモーターからなる換気扇モーター１０８を搭載し、換気風量をきめ細かく調節できるようにしていた。
【０００６】
そして、換気扇モーター１０８を駆動するための電源回路１０９は、交流電源１１０の整流平滑後の直流電圧を検出し検出値を出力する検出手段１１１と、この検出手段１１１が検出した検出値がしきい値より上か下かの判断結果を出力する判断手段１１２と、判断手段１１２の判断結果により突入電流防止用の抵抗１１３をショートさせる短絡手段１１４とを設け構成していた。
【０００７】
【発明が解決しようとする課題】
このような従来の換気扇では、交流電源１１０の整流平滑後の直流電圧を検出して、検出値のしきい値により、突入電流防止用の抵抗１１３をショートさせるもので、短絡手段１１４が正しく動作しなかった場合には、突入電流防止用の抵抗１１３が換気扇モーター１０８に直列に接続された状態となり、換気扇モーター１０８には低い電圧が印加され、換気風量が不足した状態になるという課題があった。
【０００８】
また、換気扇モーター１０８の場合には、印加電圧とともに動作点が図８に示すように変化するため、突入電流防止用の抵抗１１３が接続された状態でも、換気扇モーター１０８への印加電圧が低下して、換気風量が低下するが、換気扇モーター１０８は運転を続行するため、使用者には正常な状態で運転されているのかどうかが解りにくいという課題があった。
【０００９】
本発明は、上記課題を解決するもので、換気扇モーターへの供給電圧が低下した状態では換気扇モーターが運転することがない換気扇を提供することを目的とする。
【００１０】
【課題を解決するための手段】
本発明の換気扇においては、換気扇本体の運転を制御する制御部と、電源の異極間に接続されるコンデンサー入力部と、このコンデンサー入力部に直列に接続され流入電流を制限する電流制限回路と、この電流制限回路を前記制御部からの信号の入力によりバイパスするバイパス回路と、このバイパス回路が正しい動作をしたか否かを検知する動作検知回路とを設けた電源回路とを備え、前記換気扇本体への供給電圧が低下した状態では運転できない構成としたものである。
【００１１】
この本発明によれば、換気扇モーターへの供給電圧が低下した状態では換気扇モーターが運転することがない換気扇を提供することができる。
【００１２】
【発明の実施の形態】
本発明の請求項１に記載の発明は、換気扇本体の運転を制御する制御部と、電源の異極間に接続されるコンデンサー入力部と、このコンデンサー入力部に直列に接続され流入電流を制限する電流制限回路と、この電流制限回路を前記制御部からの信号の入力によりバイパスするバイパス回路と、このバイパス回路が正しい動作をしたか否かを検知する動作検知回路とを設けた電源回路とを備え、前記換気扇本体への供給電圧が低下した状態では運転できない構成としたものであり、電源を投入して所定時間経過後にバイパス回路が電流制限回路をバイパスすることができなかった場合には、コンデンサー入力部の端子間電圧は急激な変化をしないため、動作検知回路は、バイパス回路が動作しなかったことを検知して制御部により換気扇本体の運転を停止して、換気風量が少ない状態で運転されることを防止し、使用者に換気扇本体に異常があることを知らしめることができるという作用を有する。
【００１３】
以下、本発明の実施の形態について図１〜図５を参照しながら説明する。
【００１４】
（実施の形態１）
図１〜図３に示すように、住宅の天井裏１に換気扇本体２を配設し、複数の室内の天井面３に設けた排気口４をダクト５を介して換気扇本体２に接続するとともに、室外と換気扇本体２をダクト５Ａを介して接続し、換気扇本体２の運転を操作する操作スイッチ部６を壁面７に設け、操作スイッチ部６からの信号を受けて換気扇本体２の運転を制御する制御部８と換気扇本体２に設けたＤＣモーターからなる換気扇モーター９への電圧を供給する電源回路１０を設ける。
【００１５】
そして、電源回路１０は、整流後の電源の異極間に接続されるコンデンサー入力部１１と、コンデンサー入力部１１に直列に接続され流入電流を制限する電流制限回路１２と、電流制限回路１２を制御部８からの信号の入力によりバイパスするバイパス回路１３と、バイパス回路１３の動作を検知する動作検知回路１４とを設け構成され、動作検知回路１４はコンデンサー入力部１１の端子間電圧を検知して、電圧値の変化からバイパス回路１３の動作を検知するように設ける。
【００１６】
また、操作スイッチ６には、バイパス回路１３が正しく動作したか否かの信号を制御部８から受けて表示する表示部１５を設け構成する。
【００１７】
上記構成において、操作スイッチ部６の操作により操作スイッチ部６からの信号を受けた換気扇本体２の運転を制御する制御部８は、電源の投入から所定時間経過後にバイパス回路１３に信号を送り、電流制限回路１２がバイパスされると、コンデンサー入力部１１の端子間電圧は図３に示すように急激に上昇することとなり、動作検知回路１４は、コンデンサー入力部１１の端子間電圧の急激な変化を検知してバイパス回路１３が正しく動作したことの信号が制御部８に送られ、制御部８は操作スイッチ部６へ信号を送り、操作スイッチ部６の表示部１５で表示して、使用者は、操作スイッチ部６の表示を確認して換気扇が正常に運転されていることを知り使用することになる。
【００１８】
また、電源を投入して所定時間経過後にバイパス回路１３が電流制限回路１２をバイパスすることができなかった場合には、コンデンサー入力部１１の端子間電圧は急激な変化をしないため、動作検知回路１４はバイパス検知回路１３が動作しなかったことを検知して制御部８に信号が送られ、換気扇モーター９の運転が停止されるとともに、制御部８は操作スイッチ部６へ信号を送り操作スイッチ部６の表示部１５で表示され、使用者は操作スイッチ部６の表示を見て換気扇本体２が正しく動作していないことを認識することとなる。
【００１９】
すなわち、バイパス回路１３が正しく動作しなかった場合には、電流制限回路１２が換気扇モーター９に接続された状態を動作検知回路１４が検知することとなるので、このような状態は回路上の部品の何れかが破損している状態と考えられ、換気扇モーター９は停止されることとなり、換気扇モーター９への供給電圧が低下した状態では使用されることがなくなる。
【００２０】
このように本発明の実施の形態１の換気扇によれば、換気扇本体２の運転を制御する制御部８と、電源に接続されるコンデンサー入力部１１に直列に接続される電流制限回路１２を制御部８からの信号によりバイパスするバイパス回路１３が正しい動作をしたか否かを検知する動作検知回路１４とを設けた電源回路とを備え、換気扇本体２への供給電圧が低下した状態では運転できない構成としたので、換気風量が不足した状態で運転されることがなくなり、換気時には正常な換気風量で運転することができる。
【００２１】
また、動作検知回路１４で検知した結果を操作スイッチ部６に設けた表示部１５等により表示して使用者に知らしめることができるので、使用者が換気扇の運転時には換気扇が正常に運転されていることを確認することができるとともに、換気扇が運転されないことにより、換気扇のメンテナンスをする必要があることを知ることができる。
【００２２】
また、動作検知回路１４を、コンデンサー入力部１１の端子間電圧を検知して電圧値の変化からバイパス回路１３の動作を検知する構成としたので、動作検知回路１４は、コンデンサー入力部１１の端子間電圧の急激な変化を検知してバイパス回路１３が正しく動作したか否かの確認を正確に行うことができる。
【００２３】
（実施の形態２）
図４および図５に示すように、動作検知回路１４Ａを、コンデンサー入力部１１へ流入する電流を検知して、電流値の変化からバイパス回路１３の動作を検知する構成とする。
【００２４】
上記構成において、換気扇本体（図示せず）に電源が接続されるとコンデンサー入力部１１には電流制限回路１２を通じて電流が流れ、コンデンサー入力部１１には図５に示すように電流が流れてピーク値が除々に減少することとなり、制御部８は電源の投入から所定時間経過後にバイパス回路１３へ信号を送り、電流制限回路１２をバイパスさせると、電流制限がなくなりコンデンサー入力部１１への流入電流は急激に増加する。
【００２５】
そして、動作検知回路１４Ａは、交流電源の周波数に同期したコンデンサー入力部１１への流入電流のピーク値の急激な変化を検知してバイパス回路１３が正しく動作したことの信号を制御部８へ送り、制御部８は操作スイッチ部６へ信号を送り、操作スイッチ部６の表示部１５で表示され、使用者は表示を確認して換気扇が正常に運転されていることを知り使用することとなる。
【００２６】
また、電源を投入して所定時間経過後にバイパス回路１３が電流制限回路１２をバイパスすることができなかった場合には、コンデンサー入力部１１への流入電流は急激な変化をしないため、動作検知回路１４Ａは、バイパス回路１３が動作しなかったことを検知した信号を制御部８へ送り、制御部８は操作スイッチ部６へ信号を送り、操作スイッチ部６の表示部１５で表示され、使用者は、操作スイッチ部６の表示を見て換気扇本体が正しく動作していないことを認識するとともに、換気扇本体の運転は停止される。
【００２７】
このように本発明の実施の形態２の換気扇によれば、動作検知回路１４Ａを、コンデンサー入力部１１に流入する電流を検知して電流値の変化からバイパス回路１３の動作を検知して表示するので、使用者は換気扇本体が正しく動作していることを認識することができる。
【００２８】
また、コンデンサー入力部１１への流入電流のピーク値を検知してその変化からバイパス回路１３が動作したことを検知するため、入力される電源周波数に同期して電流の検知を行えば良く、制御部８からバイパス回路１３への信号の送信に同期させバイパス回路１３の動作時間差等を考慮しなくても容易に電流の変化を確認することができる。
【００２９】
【発明の効果】
以上の実施の形態から明らかなように、本発明によれば、換気扇本体の運転を制御する制御部と、電源の異極間に接続されるコンデンサー入力部と、このコンデンサー入力部に直列に接続され流入電流を制限する電流制限回路と、この電流制限回路を前記制御部からの信号の入力によりバイパスするバイパス回路と、このバイパス回路が正しい動作をしたか否かを検知する動作検知回路とを設けた電源回路とを備え、前記換気扇本体への供給電圧が低下した状態では運転できない構成としたので、換気風量が不足した状態で運転されることがなくなり、換気時には正常な換気風量で換気することができる換気扇を提供することができる。
【００３０】
また、動作検知回路で検知した結果を使用者に表示して知らしめる構成としたので、使用者が換気扇が正常に運転されているか否かを容易に知ることができる。
【００３１】
また、動作検知回路を、コンデンサー入力部の端子間電圧を検知して電圧値の変化からバイパス回路の動作を検知する構成としたので、バイパス回路が正しく動作したか否かを正確に検知することができる。
【００３２】
また、動作検知回路を、コンデンサー入力部に流入する電流を検知して電流値の変化からバイパス回路の動作を検知する構成としたので、バイパス回路の動作時間差等を考慮しなくても容易に電流の変化を確認することができる。
【図面の簡単な説明】
【図１】本発明の実施の形態１の換気扇の電源構成を示す回路図
【図２】同換気扇を天井裏に設置した状態を示す概略断面図
【図３】同換気扇のコンデンサー入力部の電圧変化を示す特性図
【図４】本発明の実施の形態２の換気扇の電源構成を示す回路図
【図５】同換気扇のコンデンサー入力部の電流変化を示す特性図
【図６】従来の換気扇を天井裏に設置した状態を示す概略断面図
【図７】同換気扇の電源構成を示す回路図
【図８】同換気扇の動作特性を示す特性図
【符号の説明】
２      換気扇本体
８      制御部
１０    電源回路
１１    コンデンサー入力部
１２    電流制限回路
１３    バイパス回路
１４    動作検知回路
１４Ａ  動作検知回路
１５    表示部
【図１】
0003607146.tif 000002
【図２】
0003607146.tif 000003
【図３】
0003607146.tif 000004
【図４】
0003607146.tif 000005
【図５】
0003607146.tif 000006
【図６】
0003607146.tif 000007
【図７】
0003607146.tif 000008
【図８】
0003607146.tif 000009